(57)【要約】【課題】ダイレクトプリンタシステムを構築する際に使用されるプリントシステムの撮影装置において、撮影画像確認ＬＣＤ上に撮影画像に重畳してプリンタでの印刷有効範囲を表示する事により、所望した印刷結果が得られるよう想定した撮影が行えるプリントシステムの撮影装置を提供する。【解決手段】予めカメラ自体が、重畳する表示情報を少なくとも１種類以上保有し、プリントシステムが構築された状態で表示情報の選択条件を決定し、撮影時に選択された範囲表示情報を撮影画像確認ＬＣＤに表示する機能を有する事を特徴とするプリントシステムの撮像装置。【選択図】　　　　図１
2004032076.tif 000002
【特許請求の範囲】
【請求項１】
撮影される被写体の光学像を電子像信号に変換する撮像手段を有すると共に撮影時に記録画像イメージを表示可能な画像出力装置を有するカメラと、該カメラによって撮像された電子像信号及び電子像信号を一度メモリー媒体等に記録しそれを再度、読み出し記録用紙に視認可能にプリント出力するプリンタ装置とからなるプリントステムの撮像装置において、予めカメラ自体が、重畳する表示情報を少なくとも１種類以上保有し、プリントシステムが構築された状態で表示情報の選択条件を決定し、撮影時に選択された範囲表示情報を撮影画像確認ＬＣＤに表示する機能を有する事を特徴とするプリントシステムの撮像装置。
【請求項２】
前記プリントシステムは、プリントシステムが構築された状態で、表示情報の選択条件をプリンタより通信で取得し、撮影時に選択された範囲表示情報を撮影画像確認ＬＣＤに表示する機能を有する事を特徴とする請求項１記載のプリントシステムの撮像装置。
【請求項３】
前記プリントシステムは、プリントシステムに使用されるプリンタで印刷可能な用紙サイズ情報をプリントシステム構築時に通信によって取得すると共に、記録画像設定情報および表示部での撮影イメージ表示領域情報をもとに、撮影画像確認用表示装置に表示される画像にプリンタで印刷された際の印刷範囲を重畳して表示する事を特徴とする請求項１記載のプリントシステムの撮像装置。
【請求項４】
前記プリントシステムの撮像装置は、システムから撮像装置部のみ取り外し撮影を行う際、プリントシステム構築時に接続されていたプリンタの印刷範囲情報を記憶しており、プリンタと接続していない場合にも印刷画像表示機能に印刷可能範囲を重ねて表示する事が可能なことを特徴とする請求項１記載のプリントシステムの撮像装置。
【請求項５】
前記プリントシステムの撮像装置は、対象プリンタ名を入力または選択可能な操作機能を有し、設定されたプリンタ名をもとに印刷範囲として表す表示枠のサイズを設定する機能を有し、プリンタと接続していない場合にもプリントシステム構築時に使用される少なくとも１種類以上のプリンタの少なくとも１種類以上の印刷範囲に応じて印刷画像表示機能に印刷可能範囲を重ねて表示する事が可能なことを特徴とする請求項１記載のプリントシステムの撮像装置。
【請求項６】
前記プリントシステムは、撮影される被写体の光学像を電子像信号に変換する撮像手段と、前記撮像手段によって撮像された電子像信号を記録用紙に視認可能にプリント出力するプリンタ装置とを一体的に有するプリンタ付撮影装置であることを特徴とする請求項１記載のプリントシステムの撮像装置。
【請求項７】
必要に応じ撮影画像のみの場合と、撮影画像と印刷範囲を重ねて表示する場合の２種類の表示方法を切り替える機能を有する事を特徴とする請求項１または２または３に記載のプリントシステムの撮像装置。
【請求項８】
前記プリントシステムは、複数の加熱素子がライン状に並んだ加熱手段と、加熱することにより記録紙に転写されるインクを塗布した色インク層と加熱することにより記録紙に印画する熱転写式プリンタをプリント手段にもつことを特徴とする請求項１記載のプリントシステムの撮像装置。
【発明の詳細な説明】
【０００１】
【発明の属する技術分野】
本発明は熱転写式プリンタをプリント手段にもつプリントシステムに関し、より具体的には静止画を記録するスチルカメラやビデオカメラなどによって撮像された電子情報を、記録媒体を介して該装置によってプリント出力するのに好適なプリントシステムの撮像装置に関するものである。
【０００２】
【従来の技術】
従来から印画用紙に感熱型の用紙を用い、主走査方向に配列された複数個の発熱体を選択的に駆動して、用紙を副走査方向に搬送することで、用紙にドットライン状に印画を行うライン熱転写方式のプリンタがある。
【０００３】
近年、入力側としてのデジタルカメラやデジタルビデオカメラ、またはスキャナなどの画像を扱う入力機器の進歩に伴い、プリント手段として、熱転写方式のプリンタ装置も注目されている。
【０００４】
それはインクジェットプリンタが、液滴を飛ばすか飛ばさないか、という２値の選択しかないために、小さな液滴を用紙へ着弾させて、誤差拡散等の手法でみかけの解像度と階調性を得ようとするのに対して、熱転写方式のプリンタの場合には、一つの画素において、制御可能な熱の値を容易に変更できるため、一つの画素に対する階調性が多く取る事が可能になるので、インクジェットプリンタに比べて滑らかで高画質な画像を得ることができるという点が上げられる。またサーマルヘッドの性能や用紙材料の性能も向上したために、仕上がり品位で銀塩写真にも見劣りしない画像プリントを得る事が可能になっており、近年のデジタルカメラの進歩に歩調を合わせるように特に自然画像用のプリンタとして注目されている。
【０００５】
そこでこうしたプリンタ装置とデジタルカメラやデジタルビデオカメラなどの撮影機器を直接的に接続したり、または一体的に構成して、撮影された画像情報をコンピューターなどの画像情報を処理する機器を介すことなくプリントするシステムも登場している。
【０００６】
デジタルカメラとプリンタ装置を直接的に接続したプリントシステムを具体的に説明する。デジタルカメラで撮影された画像は一旦、デジタルカメラが有する記録媒体に保存される。この画像をプリンタ装置からプリントアウトする為には、ユーザはデジタルカメラとプリンタ装置を専用のケーブルで直接的に接続する。次に、記録媒体に保存されている画像をデジタルカメラの表示装置に表示しプリントしたい画像を選択する。この時画像を選択するためにデジタルカメラの有する操作部材を用いたことは言うまでもない。プリントしたい画像が選択できたらデジタルカメラの操作部材に割り付けられたプリント指示キーを押す。そうすることでデジタルカメラ内でプリント用の画像処理が実行される。
【０００７】
デジタルカメラ内での画像処理が終了するとプリント用データをプリンタ装置に転送すしプリンタ装置は受け取ったデータをプリントアウトする。
【０００８】
上記の説明ではユーザはプリントアウトをする為にデジタルカメラの操作部材を数回操作するだけで簡単に写真的なプリントアウトを行うことが可能になり、大変便利である。
【０００９】
【発明が解決しようとする課題】
デジタルカメラとプリント装置を専用ケーブルで直接的に接続してデジタルカメラの操作部材を数回選択してプリントアウト可能なプリントシステムは簡単に写真的なプリントが得られ大変便利である。しかし撮影画像とプリンタのプリント範囲のアスペクト比が必ずしも一致する訳ではないため、プリント用紙一杯にプリントを行う場合、予めプリント領域範囲を想定して画像を撮影した場合でも所望する印刷結果が得られない場合が考えられる。
【００１０】
上記問題点の具体例としては、通常、デジタルカメラで撮影された画像は縦横のアスペクト比が３：４か２：３か或いはこの比に近いものが一般的である。ここではこのアスペクト比を便宜的にＡ＝　縦／横とするとアスペクト比が３：４の場合は　Ａ＝　３／４　＝０．７５、アスペクト比が２：３の場合はＡ＝２／３＝０．６６６７と表せる。これらのデジタルカメラで撮影された画像をアスペクト比が例えばＡ＝０．６０というかなり横長のプリント用紙（テレホンカード等が該当する。）に周辺に余白無く全面にプリントしようとすると元の画像の上下がカットされてプリントされざるを得ないが撮影される画像のみから、に印刷領域を予測して撮影する事はかなり困難なことであると考えられる。
【００１１】
本発明は、以上のような問題点に鑑みて為されたものであり、その目的とする処は、ダイレクトプリンタシステムを構築する際に使用されるプリントシステムの撮影装置において、撮影画像確認ＬＣＤ上に撮影画像に重畳してプリンタでの印刷有効範囲を表示する事により、所望した印刷結果が得られるよう想定した撮影が行えるプリントシステムの撮影装置を提供することにある。
【００１２】
【課題を解決するための手段】
このため、本発明においては、下記の（１）項ないし（８）項のいずれかに示すプリントシステムの撮影装置を提供することにより、前記目的を達成しようとするものである。
【００１３】
（１）撮影される被写体の光学像を電子像信号に変換する撮像手段を有すると共に撮影時に記録画像イメージを表示可能な画像出力装置を有するカメラと、該カメラによって撮像された電子像信号及び電子像信号を一度メモリー媒体等に記録しそれを再度、読み出し記録用紙に視認可能にプリント出力するプリンタ装置とからなるプリントステムの撮像装置において、予めカメラ自体が、重畳する表示情報を少なくとも１種類以上保有し、プリントシステムが構築された状態で表示情報の選択条件を決定し、撮影時に選択された範囲表示情報を撮影画像確認ＬＣＤに表示する機能を有する事を特徴とするプリントシステムの撮像装置。
【００１４】
（２）前記プリントシステムは、プリントシステムが構築された状態で、表示情報の選択条件をプリンタより通信で取得し、撮影時に選択された範囲表示情報を撮影画像確認ＬＣＤに表示する機能を有する事を特徴とする前記（１）項記載のプリントシステムの撮像装置。
【００１５】
（３）前記プリントシステムは、プリントシステムに使用されるプリンタで印刷可能な用紙サイズ情報をプリントシステム構築時に通信によって取得すると共に、記録画像設定情報および表示部での撮影イメージ表示領域情報をもとに、撮影画像確認用表示装置に表示される画像にプリンタで印刷された際の印刷範囲を重畳して表示する事を特徴とする前記（１）項記載のプリントシステムの撮像装置。
【００１６】
（４）前記プリントシステムの撮像装置は、システムから撮像装置部のみ取り外し撮影を行う際、プリントシステム構築時に接続されていたプリンタの印刷範囲情報を記憶しており、プリンタと接続していない場合にも印刷画像表示機能に印刷可能範囲を重ねて表示する事が可能なことを特徴とする前記（１）項記載のプリントシステムの撮像装置。
【００１７】
（５）前記プリントシステムの撮像装置は、対象プリンタ名を入力または選択可能な操作機能を有し、設定されたプリンタ名をもとに印刷範囲として表す表示枠のサイズを設定する機能を有し、プリンタと接続していない場合にもプリントシステム構築時に使用される少なくとも１種類以上のプリンタの少なくとも１種類以上の印刷範囲に応じて印刷画像表示機能に印刷可能範囲を重ねて表示する事が可能なことを特徴とする前記（１）項記載のプリントシステムの撮像装置。
【００１８】
（６）前記プリントシステムは、撮影される被写体の光学像を電子像信号に変換する撮像手段と、前記撮像手段によって撮像された電子像信号を記録用紙に視認可能にプリント出力するプリンタ装置とを一体的に有するプリンタ付撮影装置であることを特徴とする前記（１）項記載のプリントシステムの撮像装置。
【００１９】
（７）必要に応じ撮影画像のみの場合と、撮影画像と印刷範囲を重ねて表示する場合の２種類の表示方法を切り替える機能を有する事を特徴とする前記（１）項または（２）項または（３）項に記載のプリントシステムの撮像装置。
【００２０】
（８）前記プリントシステムは、複数の加熱素子がライン状に並んだ加熱手段と、加熱することにより記録紙に転写されるインクを塗布した色インク層と加熱することにより記録紙に印画する熱転写式プリンタをプリント手段にもつことを特徴とする前記（１）項記載のプリントシステムの撮像装置。
【００２１】
すなわち、本発明では上記問題点を解決するために、撮影時に現在撮影しようとしている画像がプリントシステムとして対象となるプリンタでプリントした際に実際にプリントされるであろう部分を撮影画像に重ねて撮影画像確認装置に表示する機能を有し、撮影時に撮影画像と撮影画像のプリント時の印刷領域を確認できる事を可能にした。
【００２２】
【発明の実施の形態】
以下、本発明の実施の形態を複数の実施例に基づいて具体的に説明する。
【００２３】
（実施例１）
図１に本発明の第１の実施例における構成図を示す。第１の実施例では１のデジタルカメラで撮影した画像及び撮影後メモリー媒体に保存し再度読み出した画像をデジタルカメラ内で昇華型プリンタのプリントデータに画像処理した後、２の専用ケーブル経由でイエロー、マゼンタ、シアンの順で３の昇華型プリンタに送り出しそのデータをカラープリントする例である。
【００２４】
ユーザは、図１に示すデジタルカメラの操作部材４でプリントパターン、プリントしたい画像、プリント指定枠等を選択しデジタルカメラの液晶画面５でそれらの内容を確認することが可能である。
【００２５】
図２に本発明で用いた画像記録方式の昇華型熱転写方式の基本原理を説明するための概略図を示す。昇華型熱転写方式は、染料（色素）の拡散現象を用いた方式である。
【００２６】
図中１１は、３色（イエロー、マゼンタ、シアン）の染料をプラスチックシートに塗布したインクシートである。このインクシート１１は専用印画紙１２と重ね合わされた形で、サーマルヘッド１３とプラテンローラー１４によって挟支されこのインクシートをサーマルヘッド１３の熱により、専用印画紙１２に昇華／熱拡散させることにより、カラープリントを得る。
【００２７】
また、専用印画紙２には、昇華性染料１５の発色を確保するために、ポリエステル系樹脂を主成分とした受容層１６が塗布されている。この時サーマルヘッド１３に与える熱を制御することにより階調を与えることができる。３色（イエロー、マゼンタ、シアン）それぞれに階調を与え、印画紙の同じ個所にプリントすることにより１画素単位の高精細フルカラープリントを実現できる。
【００２８】
次に、本実施例でプリント用データを作成する為の画像処理部分を行うデジタルカメラのブロック図を図３に示す。図中２０はレンズを通して結像された画像を電気信号に変換するためのＣＣＤ、２１は本デジタルカメラシステムを制御、演算処理を司るＣＰＵである。
【００２９】
２２はＣＣＤから送られてきた電気信号を処理する画像処理エンジン、２３は本デジタルカメラシステムを制御するためのプログラムやその他の情報を格納しておくためのＦｌａｓｈ　ＲＯＭ、２４は、画像データを一時的に保存したり、データ処理作業に使うためのＳＤＲＡＭ、２５は画像データファイルを保存しておくためのＣＦ（コンパクトフラッシュ（Ｒ）メモリー）、２６はＣＦを本デジタルカメラに装着するためのＣＦコネクター、２７は本デジタルカメラで撮影した画像を表示したり、本デジタルカメラを操作するメニューを表示するためのＬＣＤ、２８は、そのＬＣＤをドライブするＬＣＤドライバーである。
【００３０】
本実施例では図４に示すように印刷用紙に合わせ縁無しモードで印刷を所望する場合に　　例えば、縦横のアスペクト比が３：４の画像をテレホンカードサイズのプリント用紙がプリント可能なプリンタを使用する場合、撮影時にカメラの撮影画像イメージを表示するＬＣＤに、図５に示すように元画像に重ねて印刷される範囲を表示する。
【００３１】
さてここで本発明に関わる処理内容について更に詳細に述べる。
【００３２】
尚、本実施例では１のデジタルカメラ（以後ＤＣと表現）が記録する画像のアスペクト比を４：３とし、画像イメージを表示するＬＣＤの画像表示部分を６４０×４８０の４：３の表示範囲を有する物とする。また、３の昇華型プリンタ（以下プリンタと表現）の印刷範囲のアスペクト比を２：１と想定して説明する。
【００３３】
ここで言うアスペクト比（Ａ）とは画像の幅（Ｗ）と高さ（Ｈ）の比の情報でＷ／Ｈで表す事とする。
【００３４】
図１２に第一の実施例を表す。
【００３５】
プリントシステムのプリント用データ送出部として使用されていたＤＣが撮影モードに変更される（Ｓ１０１）。
【００３６】
撮影モードに変更される前にプリントシステムが構築されていたＤＣはプリントシステム時の対象プリンタの印刷範囲表示用データをＦｌａｓｈ　ＲＯＭ（２４）より読み出し（Ｓ１０２）、ＬＣＤ（２８）に表示される撮影画像表示部分に重ねて印刷範囲対象以外の部分を半透明のマスクをかけて表示する事で撮影者に認識出来るように表示する。
【００３７】
撮影者は、ＬＣＤ表示の印刷範囲に合わせ所望のレイアウトで画像撮影後、プリントシステムにおいてＤＣから撮影した画像をプリントすることにより、印刷結果として希望するレイアウトのプリントが出来る。
【００３８】
本実施例の印刷範囲を表す手段は、図８で表されるよう印刷範囲と印刷対象外の境界をラインで表す事も、認識のための表示として有効な手段である。
【００３９】
（実施例２）
図１０に第２の実施例を表す。ＤＣ記憶部内に、図１１の例に示されるように予め印刷範囲表示のための座標Ｐｄｘ１，Ｐｄｘ２，Ｐｄｙ１，Ｐｄｙ２が記憶されている。
【００４０】
第一の図に示すプリントシステムが構成されている場合において、プリント可能状態である場合ＤＣは画像プリントモードとなっている。この状態より、使用者が撮影を行うためにモードスイッチ（不図示）でＤＣを画像プリントモードから撮影モードに変更する（Ｓ１１）。
【００４１】
ＤＣは記録画像のアスペクト比撮影条件等により記録画像情報番号０を決定する（Ｓ１２）
（本実施例の場合記録画像のアスペクト比を４：３と仮定し、又記録画像情報番号０を４：３撮影時と仮定した）。
【００４２】
次に接続されているプリンタより範囲表示情報番号１を取得し（Ｓ１３）、
（本実施例の場合印刷範囲のアスペクト比を３：１と仮定し、又範囲表示情報番号１を３：１範囲印刷時と仮定した。）
その情報をもとに情報番号０１を決定し表示座標情報Ｐｄｘ１，Ｐｄｙ１，Ｐｄｘ２，Ｐｄｙ２を呼び出し（Ｓ１４）、ＬＣＤ（２８）上に図７に示すよう印刷可能範囲以外のＬＣＤ内の画像をグレーのマスクをかけてして表示する（Ｓ１５）。
【００４３】
この際に情報番号を２桁とし上位桁が記録画像情報番号、下位桁が範囲表示情報番号に相当するように情報番号を設定することは処理速度の向上に有効な手段である。
【００４４】
ビット情報で前記データ整列を行うこと（たとえば情報番号を８Ｂｉｔで表現し上位４Ｂｉｔが記録画像情報番号、下位４Ｂｉｔを範囲表示情報番号に相当させ８Ｂｉｔ表現で相当する座標が取得出来るようにする）でも同様の効果が得られる。
【００４５】
また、情報取得をモード切替時としたが、定期的に通信によりプリンタの状態を取得したり、カメラ側のみならずプリンタの状態変化のタイミングで表示に必要な情報を取得する事も有効な手段である。
【００４６】
（実施例３）
第一の図に示すプリントシステムが構成されている場合において、プリント可能状態である場合ＤＣは画像プリントモードとなっている。
【００４７】
ここで、印刷範囲情報については本実施例では実際の印刷範囲のアスペクト比としたが、プリンタの印刷範囲ドット数とｄｐｉや、印刷範囲の情報縦方向と横方向の長さ情報ｍｍやｃｍまたはＩｎｃｈサイズ情報の場合においてもアスペクト比に換算する事で同様の処理の実現が可能であることはいうまでもない。
【００４８】
印刷範囲のアスペクト比２：１を取得しているＤＣは撮影条件より記録画像のアスペクト比４：３をもとに、印刷範囲のアスペクト比と比較し記録画像内に印刷画像範囲が収まるように印刷範囲表示領域を算出する。
【００４９】
印刷範囲領域算出を図６の処理フローで説明する。
【００５０】
ＤＣは記録設定に応じて、予め記憶装置に記憶されている記録画像に関するアスペクト情報幅情報Ｗ１，高さ情報Ｈ１、アスペクト比Ａ１、ＬＣＤ表示部ピクセルサイズ情報横サイズＸ，縦サイズＹを読み出す（Ｓ１）。
【００５１】
次にＤＣは接続されているプリンタより現在設定されているプリント状態における印刷範囲情報として幅情報Ｗ２、高さ情報Ｈ２受け取る（Ｓ２）。
【００５２】
この情報はプリントシステムとしてＤＣとプリンタが接続された際に受け取ったり、プリンタの設定が変更になった場合、ＤＣおよびプリンタまたはその一方に状態変化が起こった際に（たとえばプリンタの用紙が交換された場合やＤＣがプリントモードから撮影モードに移行した際等）取得しても構わない。
【００５３】
次に受け取った幅情報Ｗ２、高さ情報Ｈ２を比較し画像に対する用紙の印刷範囲の向きを判別し（Ｓ３）計算用横幅Ｘ１縦幅Ｙ１、アスペクト比Ａ２を求める（Ｓ４，Ｓ５）。
【００５４】
次に記録画像アスペクト比Ａ１と印刷範囲アスペクト比Ａ２を比較し（Ｓ６）座標計算情報Ｘ２，Ｙ２を求める（Ｓ７，Ｓ８）。
【００５５】
次に求められた結果より印刷可能範囲を示すために必要なＬＣＤ表示部分に対する印刷範囲表示のための座標Ｐｄｘ１，Ｐｄｘ２，Ｐｄｙ１，Ｐｄｙ２の値を求める（Ｓ９）。
【００５６】
以上の処理で求められた結果をもとに印刷可能範囲を画像に重畳して表示する事で本提案の第２の実施例となる。
【００５７】
（実施例４）
予め、撮影画像領域に対するプリントシステム構築時に使用される少なくとも１種類以上のプリンタの少なくとも１種類以上の印刷範囲のアスペクト比情報を撮像装置部が記憶しておき、使用者が撮像装置部の環境設定操作部で所望するプリンタ名および用紙種類またはその一方を選択または設定することで同様の表示制御を実現することにより請求項３の実施例となる。
【００５８】
本実施例の場合は撮像部が予めプリントに関する情報をメモリに記憶している事、又対象プリンタを選択する手法として図１に示す液晶画面５に選択する項目を表示したり、操作部材４を使って設定をさせることは言うまでもない。
【００５９】
さらに、印刷範囲表示の対象となるプリンタの情報を他の表示部（図不示）で表示する事も有効な手段の１つである。
【００６０】
また、撮影時には本実施例の場合図９に示すように出力対象となるプリンタに関する情報を画面上に更に重畳し表示したり、前出の液晶画面５以外の他の表示部で表示する事により、撮影時に対象印刷物の確認が出来るようにする事で所望する出力結果に応じた撮影が行える。
【００６１】
【発明の効果】
以上説明したように、本発明によれば、ダイレクトプリンタシステムを構築する際に使用されるプリントシステムの撮影装置において、撮影画像確認ＬＣＤ上に撮影画像に重畳してプリンタでの印刷有効範囲を表示する事により、所望した印刷結果が得られるよう想定した撮影が行えるプリントシステムの撮影装置を提供することができる。
【００６２】
そして、プリンタ装置とデジタルカメラやデジタルビデオカメラ等の撮影機器を直接接続したプリントシステムやそれらの装置が一体になった形でプリントシステムを構成する際に、プリントする元画像の縦横サイズ、印刷用紙の縦横サイズ、印刷モードによって一義的に印刷用紙への印刷領域を決定するいわゆる簡単印刷の際に印刷画像アスペクト比とプリント用紙の印刷範囲のアスペクト比が異なる場合でも、プリント用画像としてユーザの所望する画像領域を印刷用紙にプリントするための画像の撮影が容易になりより一層の装置の使い勝手を充実させることが可能になった。
【図面の簡単な説明】
【図１】第一実施例のプリントシステムを説明する図
【図２】昇華型熱転写方式の概要を説明する図
【図３】本実施例のデジタルカメラブロック図
【図４】プリント結果の例
【図５】本発明の撮影画像とプリント範囲を表すＬＣＤ表示例
【図６】第３の実施例の表示領域計算処理フロー
【図７】表示画像と印刷範囲指定の座標の関係
【図８】印刷可能範囲表示の例
【図９】第４の実施例時における表示の例
【図１０】第２の実施例の表示領域表示フロー
【図１１】第２の実施例における座標情報の例
【図１２】第１の実施例の表示領域表示フロー
【符号の説明】
１　デジタルカメラ
２　専用ケーブル
３　昇華型プリンタ
４　操作部材
５　液晶画面
１１　インクシート
１２　専用印画紙
１３　サーマルヘッド
１４　プラテンローラー
１５　昇華性染料
１６　受容層
２０　ＣＣＤ
２１　ＣＰＵ
２２　画像処理エンジン
２３　Ｆｌａｓｈ　ＲＯＭ
２４　ＳＤＲＡＭ
２５　ＣＦ（コンパクトフラッシュ（Ｒ）メモリー）
２６　ＣＦコネクター
２７　ＬＣＤ
２８　ＬＣＤドライバー
【図１】
2004032076.tif 000003
【図２】
2004032076.tif 000004
【図３】
2004032076.tif 000005
【図４】
2004032076.tif 000006
【図５】
2004032076.tif 000007
【図６】
2004032076.tif 000008
【図７】
2004032076.tif 000009
【図８】
2004032076.tif 000010
【図９】
2004032076.tif 000011
【図１０】
2004032076.tif 000012
【図１１】
2004032076.tif 000013
【図１２】
2004032076.tif 000014